(57)【要約】【課題】設置環境などによってハウリングの心配がない場合もあるので、キャンセラーを有効に働かせるか無効にしておくのかを、カラオケ装置の運用責任者が任意に設定できるようにすることが望ましい。有効設定の場合は、カラオケ歌唱をしながら動的ハウリング抑制回路の動作状況が分かれば、操作をしている人にとって安心感がある。【解決手段】制御手段は、利用者入力によりキャンセラー無効設定がなさせている場合は動的ハウリング抑圧回路を無効にし、利用者入力によりキャンセラー有効設定がなされている場合は動的ハウリング抑圧回路を有効に動作させるとともに表示処理を可能とし、表示処理は、利用者入力に応答し、動的ハウリング抑圧回路によるゲイン減衰レベルを表示手段に表示させる。【選択図】    図３
2005107264.tif 000002
【特許請求の範囲】
【請求項１】
カラオケ演奏手段と、動的ハウリング抑圧回路と、制御手段とを備えたカラオケ装置であって、
カラオケ演奏手段は、伴奏音楽の音声信号をミキシングアンプに入力するとともに、歌詞字幕画像を表示手段に供給し、
動的ハウリング抑圧回路は、ミキシングアンプ系に生じたハウリングを検出し、その検出動作に応答して特定周波数帯域のゲインを適宜時間減衰させてから徐々に元に戻し、
制御手段は、利用者入力によりキャンセラー無効設定がなされている場合は動的ハウリング抑圧回路を無効にし、利用者入力によりキャンセラー有効設定がなされている場合は動的ハウリング抑圧回路を有効に動作させるとともに表示処理を可能とし、
表示処理は、利用者入力に応答し、動的ハウリング抑圧回路によるゲイン減衰レベルを表示手段に表示させる
カラオケ装置。
【請求項２】
表示処理は、動的ハウリング抑圧回路の周波数特性を表示手段に表示させる
請求項１に記載のカラオケ装置。
【請求項３】
表示処理は、動的ハウリング抑圧回路の有効／無効の設定入力を受け付けるメッセージも表示手段に合わせて表示させる
請求項１または２に記載のカラオケ装置。
【発明の詳細な説明】
【技術分野】
【０００１】
この発明は、ハウリングキャンセラーを備えたカラオケ装置に関し、とくに、ハウリング発生時に自動的に抑制動作を行って徐々に元に復帰する動的ハウリング抑圧回路を備えたカラオケ装置に関する。
【背景技術】
【０００２】
カラオケ装置のサウンドシステムには、不快なハウリングを抑制するために、特開平３−２３７８９９号公報、特開２０００−９２５８８号公報、特開２０００−３１６１９９号公報、特開２００２−７８０６７号公報などに開示されているような回路技術が開発されて実用化されている。
【０００３】
この種のハウリングキャンセラーの一方式として、音声信号増幅系に生じたハウリングを検出し、その検出動作に応答して特定周波数帯域のゲインを適宜時間減衰させてから徐々に元に戻すように機能する動的ハウリング抑制回路がある。
【特許文献１】特開平３−２３７８９９号公報
【特許文献２】特開２０００−９２５８８号公報
【特許文献３】特開２０００−３１６１９９号公報
【特許文献４】特開２００２−７８０６７号公報
【発明の開示】
【発明が解決しようとする課題】
【０００４】
ハウリングキャンセラーは、必要最小限度の範囲で、ハウリングを生じている周波数帯域のみのゲインを減衰させることが望ましい。必要もないのに（ハウリングが起きていないのに）、あるいは必要以上に（わずかなハウリングしか起きていないのに）、ハウリングキャンセラーの帯域減衰作用を強力に働かせていると、アンプの周波数特性に無用なギャップを生じることとなり、「音やせ」と通称されるように、充実した豊かな音楽音響を生み出すことができなくなる。
【０００５】
動的ハウリング抑制回路は、上記のような観点で開発されたもので、音声信号増幅系に生じたハウリングを検出し、その検出動作に応答して特定周波数帯域のゲインを適宜時間減衰させてから徐々に元に戻すように機能する。  
この方式のハウリングキャンセラーであっても、カラオケ装置の設置環境などによってハウリングの心配がない場合もあるので、キャンセラーを有効に働かせるか無効にしておくのかを、カラオケ装置の運用責任者が任意に設定できるようにすることが望ましい。  
また、キャンセラーを有効に設定している場合は、実際にカラオケ歌唱をしながら動的ハウリング抑制回路の動作状況が分かれば、設定操作をしている人にとって安心感があって望ましい。
【課題を解決するための手段】
【０００６】
この発明にかかるハウリングキャンセラーを備えたカラオケ装置は、つぎの事項（１）〜（５）により特定されるものである。  
（１）カラオケ演奏手段と、動的ハウリング抑圧回路と、制御手段とを備えたカラオケ装置である。  
（２）カラオケ演奏手段は、伴奏音楽の音声信号をミキシングアンプに入力するとともに、歌詞字幕画像を表示手段に供給する。  
（３）動的ハウリング抑圧回路は、ミキシングアンプ系に生じたハウリングを検出し、その検出動作に応答して、特定周波数帯域のゲインを適宜時間減衰させてから徐々に元に戻す。  
（４）制御手段は、利用者入力によりキャンセラー無効設定がなされている場合は動的ハウリング抑圧回路を無効にし、利用者入力によりキャンセラー有効設定がなされている場合は動的ハウリング抑圧回路を有効に動作させるとともに表示処理を可能とする。  
（５）表示処理は、利用者入力に応答し、動的ハウリング抑圧回路によるゲイン減衰レベルを表示手段に表示させる。
【０００７】
以上のように構成されたカラオケ装置において、表示処理は、動的ハウリング抑圧回路の周波数特性を表示手段に表示させるものとしたり、また動的ハウリング抑圧回路の有効／無効の設定入力を受け付けるメッセージも表示手段に合わせて表示させるものとすることができる。
【発明の効果】
【０００８】
動的ハウリング抑圧回路を必要に応じて働かせることができ、その回路の作用状態が表示により実感できる。
【発明を実施するための最良の形態】
【０００９】
＝＝＝カラオケ装置の概略構成＝＝＝
この発明を適用した通信カラオケ装置のハードウェア主体の構成例を図１に示している。カラオケ装置は、パソコン相当のコンピュータ応用機器であって、中央処理装置１がＣＰＵ・ＲＯＭ・ＲＡＭを含んだコンピュータ本体であり、大容量の外部記憶（ハードディスク装置、ＣＤ−ＲＯＭ再生装置、ＤＶＤ−ＲＯＭ再生装置など）に楽曲データベース２および映像データベース３が構築されている。また、加入電話回線またはＩＳＤＮを介してカラオケホスト装置と通信する通信制御装置４と、利用者からの入力情報と利用者に向けての応答情報とをやり取りする利用者インタフェース装置５と、ＭＩＤＩデータを主体にした音楽演奏データに基づいて伴奏音楽の音響信号を生成する音楽生成装置６と、伴奏音楽やマイクロホン７からの音声信号を増幅してスピーカー８に出力する増幅装置９と、ＣＲＴやＬＣＤあるいはＰＤＰなどを用いた映像表示装置１０と、映像表示装置１０に表示すべき画像データを処理する画像処理装置１１とを備えている。
【００１０】
＝＝＝動的ハウリング抑制回路＝＝＝
図２は、図１における増幅装置８の概略構成を示している。増幅装置８は、音楽生成装置６からの音声信号とマイクロホン７からの音声信号を混合増幅するミキシングアンプ１２と、ミキシングアンプ１２の出力信号が通過する動的フィルタ回路１３と、フィルタ回路１３の出力をさらに増幅するパワーアンプ１４と、この系に伝達される音声信号の周波数スペクトルを計測しつつハウリング発生を検出するハウリング検出回路１５と、ハウリング検出回路１５の検出信号を受けて動的フィルタ回路１３の特性を制御するフィルタ制御回路１６とを備えている。動的フィルタ回路１３・ハウリング検出回路１５・フィルタ制御回路１６が前述した動的ハウリング抑制回路の主要素である。
【００１１】
フィルタ制御回路１６は、中央処理装置１からの制御信号を受けてハウリングキャンセラーの有効／無効が切替制御される。ハウリングキャンセラーが無効に設定されている場合、フィルタ制御回路１６は動的フィルタ回路１３の周波数特性をフラットに保つ。
【００１２】
ハウリングキャンセラーが有効に設定されている場合、フィルタ制御回路１６は、ハウリング検出回路１５の出力信号に応答して動的フィルタ回路１３の特性をつぎのように制御する。  
（Ａ）ハウリング検出回路１５は、ハウリングを検出すると、ハウリングを起こしている周波数（ハウリング周波数）の情報をフィルタ制御回路１６に伝える。  
（Ｂ）フィルタ制御回路１６は、ハウリング周波数を伝える信号を受けると、動的フィルタ回路１３を制御して、ハウリング周波数帯域の減衰レベルを最大（−２０ｄＢ）に設定し、その状態を一定時間（３秒）維持する。  
（Ｃ）３秒経過すると、フィルタ制御回路１６は、動的フィルタ回路１３の減衰レベルを徐々に減少させて、最終的に元のフラットな特性に戻す。このときの変化率は、たとえば毎秒２ｄＢとする。  
（Ｄ）以上の一連の動作をハウリング検出回路１５にてハウリング発生を検出するごとに繰り返す。  
（Ｅ）フィルタ制御回路１６は、動的フィルタ回路１３の制御情報（どの周波数帯域をどの程度のレベルで減衰させているのかを表現したデータ）を中央処理装置１に伝達する。
【００１３】
＝＝＝有効／無効の設定とキャンセラー状態表示＝＝＝
カラオケ演奏期間や演奏休止期間のいずれにおいても、利用者インタフェース装置５にて特定の操作入力をすると、中央処理装置１はこれに応答し、図３に例示するようなキャンセラー設定画面のデータを生成して画像処理装置１１に供給し、映像表示装置１０に表示させる。カラオケ演奏中では、歌詞字幕の表示と重ならないように、キャンセラー設定画面を表示する。
【００１４】
キャンセラー設定画面には、現況が「有効」に設定されているのか「無効」に設定されているのかが表示されるとともに、「有効」「無効」の切替設定をする操作案内が表示される。また、現況が「有効」に設定されている場合のキャンセラー設定画面には、レベルメーターが表示され、前記（Ｂ）（Ｃ）で説明した動的フィルタ回路１３の減衰レベルが逐次表示される。つまり、ハウリングが起きていなければ、レベルメーターは最小値を指示し、ハウリングが起きるとレベルメーターは最大値を指示し、３秒経過すると少しずつ指示値が小さくなる。これを見ることで、ハウリングキャンセラーの効き具合を視覚的にも確認することができる。図４には、キャンセラー設定画面の別の例を示している。この例では、「有効」に設定されている場合に、動的フィルタ回路１３の周波数特性が逐次表示される。この図では、同時に４個所のハウリング周波数が計測され、各ハウリング周波数の減衰レベルがそれぞれ動的に並列制御されていく様子がグラフ表示されている。これは、やや専門的であるが、知識のある人にとってはおもしろい表示である。
【図面の簡単な説明】
【００１５】
【図１】この発明の一実施例に係るカラオケ装置の概略構成図である。
【図２】同上実施例における増幅装置８の概略構成図である。
【図３】キャンセラー設定画面の一例を示す概略図である。
【図４】キャンセラー設定画面の他の例を示す概略図である。
【符号の説明】
【００１６】
８    増幅装置
１２  ミキシングアンプ
１３  動的フィルタ回路
１４  パワーアンプ
１５  ハウリング検出回路
１６  フィルタ制御回路
【図１】
2005107264.tif 000003
【図２】
2005107264.tif 000004
【図３】
2005107264.tif 000005
【図４】
2005107264.tif 000006